(57)【要約】【課題】ＬＡＮと接続するインターフェースがスリープ状態（電力が供給されていない状態）の画像形成装置（プリンタ）を、ＬＡＮを介して印刷データが受信可能な状態に移行させ、その後、当該ＬＡＮを介して印刷データを受信させ、実行させることができるプリントシステム、起動装置、およびその情報処理装置を動作させるプログラムを提供する。【解決手段】  ＬＡＮと接続するインターフェースがスリープ状態（電力が供給されていない状態）の画像形成装置（プリンタ）に対して、起動装置が電話回線を介して所定の信号を送信する。この所定の信号を受信した画像形成装置は、当該ＬＡＮと接続するインターフェースを立ち上げる（画像形成装置が、ＬＡＮを介して印刷データを受信可能な状態に移行する）。その後、ジョブ送信装置が当該ＬＡＮを介して印刷ジョブを画像形成装置に送信し、この印刷ジョブを受信した画像形成装置は当該印刷ジョブを実行する。【選択図】図９
2014164625.tif 000002
【特許請求の範囲】
【請求項１】
印刷部と、
電話回線を介して通信を行う第１電話回線Ｉ／Ｆ部と、
ＬＡＮを介して通信を行う第１ＬＡＮＩ／Ｆ部と、
前記第１ＬＡＮＩ／Ｆ部に電力を供給する通常電力モードと、前記通常電力モードよりも消費電力量が少なく、前記第１ＬＡＮＩ／Ｆ部に電力を供給しない省電力モードとを切り替える電源制御部と、
を備えるプリンタと、
前記プリンタに前記ＬＡＮを介して印刷ジョブを送信するジョブ送信装置と、
前記ジョブ送信装置がジョブを送信する場合に、前記プリンタが前記省電力モードの状態であれば、前記電話回線を介して所定の信号を前記プリンタに送信する起動装置と、
を備えるプリントシステムであって、
前記電源制御部は、前記プリンタが前記所定の信号を受信したら、前記省電力モードから前記通常電力モードへの切り替えを行い、
前記ジョブ送信装置は、前記プリンタが前記省電力モードから前記通常電力モードへの切り替えを完了した後、前記印刷ジョブを送信する
ことを特徴とするプリントシステム。
【請求項２】
前記ジョブ送信装置と前記起動装置とは一体の装置として構成される
ことを特徴とする請求項１に記載のプリントシステム。
【請求項３】
前記印刷ジョブは、前記ジョブ送信装置が外部の装置から受信した印刷ジョブである
ことを特徴とする請求項２に記載のプリントシステム。
【請求項４】
前記プリンタは、前記第１電話回線Ｉ／Ｆ部を使用してファクシミリ通信を行う
ことを特徴とする請求項１乃至３のいずれか１つに記載のプリントシステム。
【請求項５】
前記所定の信号は、ダミーのファクシミリジョブであり、
前記プリンタは、前記ダミーのファクシミリジョブの受信により、前記省電力モードから前記通常電力モードへの切り替えを行うとともに、受信した前記ダミーのファクシミリジョブをファクシミリジョブとして実行せずに消去する
ことを特徴とする請求項１乃至４のいずれか１つに記載のプリントシステム。
【請求項６】
前記所定の信号とは、所定の回数未満で終了するリング信号であり、
前記第１電話回線Ｉ／Ｆ部は、所定の回数のリング信号を受け付けたら着呼状態に遷移する
ことを特徴とする請求項１乃至４のいずれか１つに記載のプリントシステム。
【請求項７】
電話回線を介して通信を行う第２電話回線Ｉ／Ｆ部と、ＬＡＮを介して通信を行う第２ＬＡＮＩ／Ｆ部とを備える情報処理装置を、
印刷部と、前記電話回線を介して通信を行う第１電話回線Ｉ／Ｆ部と、前記ＬＡＮを介して通信を行う第１ＬＡＮＩ／Ｆ部と、前記第１電話回線Ｉ／Ｆ部が所定の信号を受けた場合に、前記第１ＬＡＮＩ／Ｆ部に電力を供給しない省電力モードから前記第１ＬＡＮＩ／Ｆ部に電力を供給する通常電力モードへ切り替える電源制御部とを備えるプリンタに、前記電話回線を介して前記所定の信号を送信し、前記プリンタが前記省電力モードから前記通常電力モードへの切り替えを完了したら、前記第２ＬＡＮＩ／Ｆ部を使用して、前記プリンタに印刷ジョブを送信する
ように動作させる
ことを特徴とするプログラム。
【請求項８】
前記印刷ジョブは、前記情報処理装置が外部の装置から受信した印刷ジョブである
ことを特徴とする請求項７に記載のプログラム。
【請求項９】
前記所定の信号は、前記プリンタを前記省電力モードから前記通常電力モードへ切り替えさせかつ該プリンタで実行されることなく消去されるダミーのファクシミリジョブである
ことを特徴とする請求項７または８に記載のプログラム。
【請求項１０】
前記情報処理装置を、
所定の回数のリング信号を受信したら着呼状態に遷移し、前記所定の回数未満で終了するリング信号を受信したら着呼状態に遷移せずに前記省電力モードから前記通常電力モードへ切り替えを行うように動作する前記プリンタに対して、前記所定の回数未満で終わるリング信号を前記所定の信号として送信する
ように動作させる
ことを特徴とする請求項７または８に記載のプログラム。
【請求項１１】
電話回線を介して通信を行う第２電話回線Ｉ／Ｆ部と、
ＬＡＮを介して通信を行う第２ＬＡＮＩ／Ｆ部と、
制御部と、
を備え、
前記制御部は、印刷部と、前記電話回線を介して通信を行う第１電話回線Ｉ／Ｆ部と、前記ＬＡＮを介して通信を行う第１ＬＡＮＩ／Ｆ部と、前記第１ＬＡＮＩ／Ｆ部に電力を供給する通常電力モードと、前記第１電話回線Ｉ／Ｆ部が所定の信号を受けた場合に、前記第１ＬＡＮＩ／Ｆ部に電力を供給しない省電力モードから前記第１ＬＡＮＩ／Ｆ部に電力を供給する通常電力モードへ切り替える電源制御部とを備えるプリンタの起動指示を、前記第２ＬＡＮＩ／Ｆ部が所定の装置から受信したら、前記第２電話回線Ｉ／Ｆ部を使用して、前記所定の信号を前記プリンタに送信し、前記プリンタが前記省電力モードから前記通常電力モードへの切り替えを完了したら、当該切り替えが完了した旨を前記所定の装置に送信する
ことを特徴とする起動装置。
【発明の詳細な説明】
【技術分野】
【０００１】
本発明は、画像形成装置（プリンタ）を省電力状態から復帰させる起動装置、情報処理装置を動作させるプログラム、およびそれらを含むプリントシステムに関する。
【背景技術】
【０００２】
画像形成装置などの複合機（ＭＦＰ（Multifunction Peripheral）が、一定時間使用されない場合、待機中に使用しない各部への電力供給を続けていると、電力を無駄に消費してしまう。そこで、ＭＦＰの動作モードを、通常通りに電力の供給を行う通常電力モードと、待機中に使用しない各部に電力の供給を行わないようにする省電力モードとの間で切り替えることで、省電力化を実現する方法が広く普及している。
【０００３】
従来、待機中のＭＦＰは外部端末からの印刷要求（印刷データ）を受け付けたら即座に省電力モードから通常電力モードに移行し（印刷可能状態に復帰し）、印刷を行う。このように外部端末から印刷要求を受信したら即座に通常電力モードに移行できるようにするためには、印刷要求の受信を常時監視する必要がある。そのため、該監視を行う部分である通信インターフェース部は常時通電状態となり、その結果、通信インターフェース部では、電力が常時消費され、節電を行うことが難しいといった問題がある。そして、この問題を解消すべく複数の技術が提案されている。
【０００４】
たとえば、下記特許文献１および特許文献２には、無線ＬＡＮ（Local Area Network）と有線ＬＡＮの双方の通信インターフェースを有するＭＦＰにおいて、省電力モード時は有線ＬＡＮの通信インターフェース部への電力供給を行わないようにしつつ、無線ＬＡＮ経由で指示を受け付けたら、通常電力モードに移行させる技術が提案されている。
【先行技術文献】
【特許文献】
【０００５】
【特許文献１】特開２００５−１６９６２３号公報
【特許文献１】特開２００６−３４５１０２号公報
【特許文献３】特開２００２−２６１９７６号公報
【発明の概要】
【発明が解決しようとする課題】
【０００６】
上記の特許文献１、２によれば、省電力モード時には、有線ＬＡＮと無線ＬＡＮの２つの通信インターフェース部（ＬＡＮインターフェース）のうち、一方への電力供給を行わないことで消費電力を軽減しつつ、もう片方を使用して通常電力モードへの移行を行うことができる。
【０００７】
しかし、２０１４年からＥＵ（European Union）にて、ＥｒＰ指令（Energy-related Products Directive）による規格が適用されることになり、ＥｒＰ指令に準拠した装置では使用可能な電力量が制限され、待機中はＬＡＮインターフェースの使用が不可能になる。つまり、ＬＡＮインターフェースを介して省電力モードから通常電力モードへ移行させることができなくなる。一方で、ＥｒＰ指令の規格による省電力モード（以後、ＥｒＰ節電と呼ぶ）では、待機中にファクシミリ（ＦＡＸ（facsimile））の受信は可能となっている。
【０００８】
なお、ＥｒＰ節電に限らず省電力モード時にＬＡＮインターフェースがスリープ状態（電力が供給されていない状態）であるＭＦＰならば、ＥｒＰ節電と同様にＬＡＮインターフェースを介して省電力モードから通常電力モードへ移行させることができないという問題がある。
【０００９】
特許文献３には、電話機と接続されているファクシミリが省電力モードの状態であって、電話がかかってきた際に電話機の受話器を取ると、省電力モード解除信号がファクシミリに入力される技術が開示されている。しかし、特許文献３では、省電力モードを解除する為には、ユーザが装置の前まで移動して受話器を取らなければならないという問題がある。
【００１０】
本発明は、上記の問題を解決しようとするものであり、ＬＡＮと接続するインターフェースがスリープ状態（電力が供給されていない状態）の画像形成装置を、ＬＡＮを介して印刷データを受信可能な状態に移行させ、その後、当該ＬＡＮを介して画像形成装置へ印刷データを送信することができるプリントシステム、起動装置、およびその起動装置を動作させるプログラムを提供することを目的としている。
【課題を解決するための手段】
【００１１】
かかる目的を達成するための本発明の要旨とするところは、次の各項の発明に存する。
【００１２】
［１］印刷部と、
電話回線を介して通信を行う第１電話回線Ｉ／Ｆ部と、
ＬＡＮを介して通信を行う第１ＬＡＮＩ／Ｆ部と、
前記第１ＬＡＮＩ／Ｆ部に電力を供給する通常電力モードと、前記通常電力モードよりも消費電力量が少なく、前記第１ＬＡＮＩ／Ｆ部に電力を供給しない省電力モードとを切り替える電源制御部と、
を備えるプリンタと、
前記プリンタに前記ＬＡＮを介して印刷ジョブを送信するジョブ送信装置と、
前記ジョブ送信装置がジョブを送信する場合に、前記プリンタが前記省電力モードの状態であれば、前記電話回線を介して所定の信号を前記プリンタに送信する起動装置と、
を備えるプリントシステムであって、
前記電源制御部は、前記プリンタが前記所定の信号を受信したら、前記省電力モードから前記通常電力モードへの切り替えを行い、
前記ジョブ送信装置は、前記プリンタが前記省電力モードから前記通常電力モードへの切り替えを完了した後、前記印刷ジョブを送信する
ことを特徴とするプリントシステム。
【００１３】
上記［１］と下記［７］、［１１］に係る発明では、ジョブ送信装置が、省電力モードの状態であるプリンタを指定して印刷ジョブを送信する場合、まず、起動装置が電話回線を介して当該プリンタの省電力モードを解除させ（通常電力モードに復帰させ）、そして省電力モードの解除が完了した後、ジョブ送信装置は当該プリンタに印刷ジョブを送信する。これにより、ＬＡＮＩ／ＦがＯＦＦの状態のプリンタに対して、ＬＡＮを使用してジョブを送信することができる。
【００１４】
［２］前記ジョブ送信装置と前記起動装置とは一体の装置として構成される
ことを特徴とする［１］に記載のプリントシステム。
【００１５】
上記発明では、印刷ジョブを送信するジョブ送信装置と、プリンタの省電力モードを解除させる起動装置は、一体の装置として構成される。この一体の装置は、ＬＡＮＩ／Ｆと電話回線Ｉ／Ｆの双方を備えており、電話回線を使用してプリンタを起動させる（省電力モードを解除させる）とともに、ＬＡＮを使用してプリンタに印刷ジョブを送信する。この一体の装置の例としては、たとえば、スマートフォンや、タブレット等が挙げられる。
【００１６】
［３］前記印刷ジョブは、前記ジョブ送信装置が外部の装置から受信した印刷ジョブである
ことを特徴とする［２］に記載のプリントシステム。
【００１７】
上記［３］と下記［８］に係る発明では、ジョブ送信装置は、他の端末から受信した印刷ジョブをプリンタへ転送する。他の装置（外部の装置）は、プリンタが省電力モードのとき、当該一体の装置（ジョブ送信装置）へプリンタ宛てのジョブを送信すればよい。
【００１８】
［４］前記プリンタは、前記第１電話回線Ｉ／Ｆ部を使用してファクシミリ通信を行う
ことを特徴とする［１］乃至［３］のいずれか１つに記載のプリントシステム。
【００１９】
上記発明では、プリンタは、ＦＡＸ用の電話回線Ｉ／Ｆを流用して所定の信号を受信し、省電力モードを解除する。
【００２０】
［５］前記所定の信号は、ダミーのファクシミリジョブであり、
前記プリンタは、前記ダミーのファクシミリジョブの受信により、前記省電力モードから前記通常電力モードへの切り替えを行うとともに、受信した前記ダミーのファクシミリジョブをファクシミリジョブとして実行せずに消去する
ことを特徴とする［１］乃至［４］のいずれか１つに記載のプリントシステム。
【００２１】
上記［５］と下記［９］に係る発明では、プリンタの省電力モードを解除させるために、たとえば、画像のないファクシミリジョブを通常のファクシミリジョブとしてファクシミリ機能を備えたプリンタへ送信すると、そのプリンタは省電力モードを解除するとともに、そのファクシミリジョブを実行する為の処理を継続してしまうので、画像が揃わないというエラー（ファクシミリジョブを実行するために必要なデータが揃わないエラー）が発生し、通信記録にエラーが残ってしまう。そこで、ダミーのファクシミリジョブを所定の信号として送信する。受信したファクシミリジョブがダミーのファクシミリジョブである場合は、プリンタが、そのファクシミリジョブを実行せず、消去することで、このようなエラーが発生しなくなる。ダミーのファクシミリジョブは、ファクシミリジョブを実行するために必要なデータが揃っていなくともよい。
【００２２】
［６］前記所定の信号とは、所定の回数未満で終了するリング信号であり、
前記第１電話回線Ｉ／Ｆ部は、所定の回数のリング信号を受け付けたら着呼状態に遷移する
ことを特徴とする［１］乃至［４］のいずれか１つに記載のプリントシステム。
【００２３】
上記［６］と下記［１０］に係る発明では、プリンタが所定の回数のリング信号を検出したら着呼する場合、所定の回数未満で終了するリング信号を所定の信号として送信すれば、省電力モードから通常電力モードへの切り替えは行われるが、着呼はしない。着呼状態に遷移した場合は、音声信号、もしくはファクシミリジョブに係る信号等の受け付けを待つことになり、それらの信号等が送信されなければエラーが発生する。しかし、着呼状態に遷移しなければこのようなエラーは発生しない。
【００２４】
［７］電話回線を介して通信を行う第２電話回線Ｉ／Ｆ部と、ＬＡＮを介して通信を行う第２ＬＡＮＩ／Ｆ部とを備える情報処理装置を、
印刷部と、前記電話回線を介して通信を行う第１電話回線Ｉ／Ｆ部と、前記ＬＡＮを介して通信を行う第１ＬＡＮＩ／Ｆ部と、前記第１電話回線Ｉ／Ｆ部が所定の信号を受けた場合に、前記第１ＬＡＮＩ／Ｆ部に電力を供給しない省電力モードから前記第１ＬＡＮＩ／Ｆ部に電力を供給する通常電力モードへ切り替える電源制御部とを備えるプリンタに、前記電話回線を介して前記所定の信号を送信し、前記プリンタが前記省電力モードから前記通常電力モードへの切り替えを完了したら、前記第２ＬＡＮＩ／Ｆ部を使用して、前記プリンタに印刷ジョブを送信する
ように動作させる
ことを特徴とするプログラム。
【００２５】
［８］前記印刷ジョブは、前記情報処理装置が外部の装置から受信した印刷ジョブである
ことを特徴とする［７］に記載のプログラム。
【００２６】
［９］前記所定の信号は、前記プリンタを前記省電力モードから前記通常電力モードへ切り替えさせかつ該プリンタで実行されることなく消去されるダミーのファクシミリジョブである
ことを特徴とする［７］または［８］に記載のプログラム。
【００２７】
［１０］前記情報処理装置を、
所定の回数のリング信号を受信したら着呼状態に遷移し、前記所定の回数未満で終了するリング信号を受信したら着呼状態に遷移せずに前記省電力モードから前記通常電力モードへ切り替えを行うように動作する前記プリンタに対して、前記所定の回数未満で終わるリング信号を前記所定の信号として送信する
ように動作させる
ことを特徴とする［７］または［８］に記載のプログラム。
【００２８】
［１１］電話回線を介して通信を行う第２電話回線Ｉ／Ｆ部と、
ＬＡＮを介して通信を行う第２ＬＡＮＩ／Ｆ部と、
制御部と、
を備え、
前記制御部は、印刷部と、前記電話回線を介して通信を行う第１電話回線Ｉ／Ｆ部と、前記ＬＡＮを介して通信を行う第１ＬＡＮＩ／Ｆ部と、前記第１ＬＡＮＩ／Ｆ部に電力を供給する通常電力モードと、前記第１電話回線Ｉ／Ｆ部が所定の信号を受けた場合に、前記第１ＬＡＮＩ／Ｆ部に電力を供給しない省電力モードから前記第１ＬＡＮＩ／Ｆ部に電力を供給する通常電力モードへ切り替える電源制御部とを備えるプリンタの起動指示を、前記第２ＬＡＮＩ／Ｆ部が所定の装置から受信したら、前記第２電話回線Ｉ／Ｆ部を使用して、前記所定の信号を前記プリンタに送信し、前記プリンタが前記省電力モードから前記通常電力モードへの切り替えを完了したら、当該切り替えが完了した旨を前記所定の装置に送信する
ことを特徴とする起動装置。
【発明の効果】
【００２９】
本発明に係るプリントシステム、起動装置、およびその起動装置を動作させるプログラムによれば、ＬＡＮと接続するインターフェースがスリープ状態（電力が供給されていない状態）の画像形成装置を、ＬＡＮインターフェースを介して印刷データが受信可能な状態に移行させ、その後、当該ＬＡＮインターフェースを介して印刷データを送信することができる。
【図面の簡単な説明】
【００３０】
【図１】本発明の実施の形態に係るプリントシステムを示す。
【図２】画像形成装置の概略構成を示すブロック図である。
【図３】ＰＣ端末の概略構成を示すブロック図である。
【図４】スマートフォンの概略構成を示すブロック図である。
【図５】ＰＣ端末から印刷を行う場合の処理を示す流れ図である。
【図６】ＰＣ端末から印刷を行う場合の具体例を示す図である。
【図７】省電力モードから通常電力モードに移行する際に、画像形成装置の各部に流れる各種の信号を示す図である。
【図８】スマートフォンから印刷を行う場合の処理を示す流れ図である。
【図９】スマートフォンから印刷を行う場合の具体例を示す図である
【発明を実施するための形態】
【００３１】
以下、図面に基づき本発明の実施の形態を説明する。
【００３２】
図１は、本発明の実施の形態に係るプリントシステム７を示す。プリントシステム７は、３台の画像形成装置１０（１０Ａ〜１０Ｃ）と、ＰＣ（Personal Computer）端末４０と、スマートフォン６０がＬＡＮ３を介して接続されて構成されている。また、３台の画像形成装置１０（１０Ａ〜１０Ｃ）とスマートフォン６０は、電話回線５を介して接続可能である。なお、ＰＣ端末４０と、スマートフォン６０は、無線ルータ８０を介してＬＡＮ３と接続されているが、以後の説明においては説明が冗長にならない様に、ＰＣ端末４０とスマートフォン６０とが無線ルータ８０を介して接続されているとの説明は省略し、単にＬＡＮ３と接続されているとの表現を用いて説明する。３台の画像形成装置１０（１０Ａ〜１０Ｃ）のうち、任意のいずれか一台を指す場合は画像形成装置１０と示す。
【００３３】
画像形成装置１０は、原稿を光学的に読み取ってその複製画像を記録紙に印刷するコピージョブ、読み取った原稿の画像データをファイルにして保存したり外部装置へ送信したりするスキャンジョブ、ＰＣ端末４０やスマートフォン６０等の外部の端末から送出されたデータに係る画像を記録紙に印刷して出力するプリントジョブなどのジョブを実行する機能を備えた、所謂、複合機である。画像形成装置１０は、本発明の起動装置、およびプリントシステムを構成するプリンタとしての機能を果たす。起動装置についての説明は後述する。
【００３４】
また、画像形成装置１０は、ＬＡＮ３を介してデータの送受信が可能な通常電力モードと、ＬＡＮ３を介してのデータの送受信は出来ないが、電話回線５を介して所定の信号を受信することのできる省電力モードを切り替えることができる。なお、省電力モードは、通常電力モードに比べて消費電力が少ないモードであり、ＥｒＰ節電の状態である。画像形成装置１０は、一定時間使用されない状態が続いたら、通常電力モードから省電力モードに移行することで待機中の電力消費量を抑え、再び使用される際に通常電力モードに復帰する。ただし、プリントシステム７では、常に少なくとも１台以上の画像形成装置１０が通常電力モードの状態であるように制御される。
【００３５】
ＰＣ端末４０は、３台の画像形成装置１０の中から１台を指定して、印刷ジョブを送信する機能を果たす。印刷ジョブはＬＡＮ３を介して送信される。また、ＰＣ端末４０は、各画像形成装置１０が通常電力モードの状態であるか、省電力モードの状態であるかを認識することができる。
【００３６】
スマートフォン６０は、持ち運びが可能な携帯端末であり、ＰＣ端末４０と同じく、３台の画像形成装置１０の中から１台を指定して、印刷ジョブを送信する機能を果たす。印刷ジョブはＬＡＮ３を介して送信される。また、スマートフォン６０は、各画像形成装置１０が通常電力モードの状態であるか、省電力モードの状態であるかを認識することができる。スマートフォン６０は、電話回線５を介して通信を行うことが可能である。
【００３７】
プリントシステム７では、ＰＣ端末４０（スマートフォン６０でも可）が、３台の画像形成装置１０の中から１台を指定して、印刷ジョブを送信する。この印刷ジョブを受け付けた画像形成装置１０は、当該印刷ジョブに基づいて印刷を行う。またプリントシステム７では、ＰＣ端末４０にて印刷ジョブの送信先に指定した画像形成装置１０（以後、ジョブ実行装置と呼ぶ）が省電力モードの状態である場合、通常電力モードの状態である別の画像形成装置１０（以後、起動装置と呼ぶ）を使用して、当該印刷ジョブの送信先に指定した画像形成装置１０（ジョブ実行装置）を省電力モードから通常電力モードに移行させる。通常電力モードに移行後はＬＡＮ３を介してジョブ実行装置に印刷ジョブを受信させ、実行させることができる。
【００３８】
このように、プリントシステム７では、印刷ジョブを送信する装置（実施の形態ではＰＣ端末４０）にジョブ実行装置の省電力モードを解除させる（省電力モードから通常電力モードに移行させる）機能が無い場合であっても、当該ジョブ実行装置の省電力モードを解除し、その省電力モードを解除したジョブ実行装置に印刷ジョブを受信させ、当該印刷ジョブを実行させることができる。
【００３９】
なお、ジョブ実行装置を省電力モードから通常電力モードに移行させる際には、起動装置が電話回線５を介して所定の信号をジョブ実行装置に送信し、この所定の信号を受信したジョブ実行装置は、省電力モードから通常電力モードに移行する。通常電力モードに移行することで、後述のネットワークＩ／Ｆ部１９（図２参照）へ電力が供給され（ネットワークＩ／Ｆ部１９が電源ＯＦＦから電源ＯＮ状態になる）、ＬＡＮ３を介しての通信が可能になる。所定の信号については後述する。
【００４０】
図２は、画像形成装置１０の概略構成を示している。画像形成装置１０は、当該画像形成装置１０の動作を制御するＣＰＵ（Central Processing Unit）１１と、このＣＰＵ１１に接続されたＲＯＭ（Read Only Memory）１２と、ＲＡＭ（Random Access Memory）１３と、不揮発メモリ１４と、ハードディスク装置１５と、表示部１６と、操作部１７と、スキャナ部１８と、ネットワークＩ／Ｆ部１９と、画像処理部２０と、プリンタ部２１と、ファクシミリ通信部２２と、電源制御部２３を備えて構成されている。
【００４１】
ＣＰＵ１１はＯＳ（Operating System）プログラムをベースとし、その上で、ミドルウェアやアプリケーションプログラムなどが実行される。ＲＯＭ１２には各種のプログラムが格納されており、これらのプログラムに従ってＣＰＵ１１が処理を実行することでジョブの実行など画像形成装置１０の各機能が実現される。ＲＡＭ１３はＣＰＵ１１がプログラムを実行する際に各種のデータを一時的に格納するワークメモリや画像データを格納する画像メモリなどとして使用される。
【００４２】
不揮発メモリ１４は、電源がオフにされても記憶が保持できる書き換え可能なメモリ（フラッシュメモリ）である。不揮発メモリ１４には、装置固有の情報や各種の設定情報などが記憶される。ハードディスク装置１５は、大容量の不揮発の記憶装置であり、ＯＳプログラムや各種アプリケーションプログラム、印刷データや画像データ、ジョブに係る情報履歴、などが保存される。
【００４３】
表示部１６は、液晶ディスプレイ（ＬＣＤ…Liquid Crystal Display）などで構成され、各種の操作、設定に係る内容を表示する機能を果たす。操作部１７は、ユーザからのジョブの投入や設定の変更など、各種の操作を受け付ける機能を果たす。操作部１７は、表示部１６の画面上に設けられて押下された座標位置を検出するタッチパネルのほか、画面外にテンキーや文字入力キー、スタートキーなどを備えて構成される。
【００４４】
スキャナ部１８は、原稿を光学的に読み取って画像データを取得する機能を果たす。スキャナ部１８は、たとえば、原稿に光を照射する光源と、その反射光を受けて原稿を幅方向に１ライン分読み取るラインイメージセンサと、ライン単位の読取位置を原稿の長さ方向に順次移動させる移動手段と、原稿からの反射光をラインイメージセンサに導いて結像させるレンズやミラーなどからなる光学経路、ラインイメージセンサの出力するアナログ画像信号をデジタルの画像データに変換する変換部などを備えて構成される。
【００４５】
ネットワークＩ/Ｆ部１９は、ＬＡＮ３を通じて外部の装置（他の画像形成装置１０や、ＰＣ端末４０、スマートフォン６０）と通信を行う。ただし、省電力モード時は、ネットワークＩ／Ｆ部１９は電源ＯＦＦ状態であり、ＬＡＮ３を介してのデータの送受信はできない。なお、ＣＰＵ１１は、ＬＡＮ３を通じて他の画像形成装置１０が通常電力モードの状態なのか省電力モードの状態なのかを判断する。具体的には、まず、ＬＡＮ３を通じて他の２台に応答要求を送信し、この応答要求に対する返答を待つ。省電力モードの画像形成装置１０はＬＡＮ３を介して送信される応答要求を受信することができないので、当該応答要求に対する返答が一定時間内に返ってきた場合は通常電力モードの状態であると認識し、一定時間内に返ってこなければ省電力モードの状態であると認識する。
【００４６】
画像処理部２０は、画像の拡大縮小、回転などの処理のほか、印刷データをイメージデータに変換するラスタライズ処理、画像データの圧縮、伸張処理を行う。
【００４７】
プリンタ部２１は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置などを有し、電子写真プロセスによって画像形成を行う、所謂、レーザープリンタとして構成されている。画像形成出力（印刷）を行う際は、主走査方向への１ライン分の画像形成を繰り返しつつ、画像形成の対象物（記録紙）を副走査方向に移動させることによって、記録紙上に２次元の画像が形成される。
【００４８】
ファクシミリ通信部２２は、電話回線５を通じて外部のファクシミリ装置と画像データを送受信する機能を果たす。ファクシミリ通信部２２はファクシミリ送信およびファクシミリ受信の機能を備えている。
【００４９】
まず、電話回線５を通じて呼び出し信号（リング信号）が送られてくると、ファクシミリ通信部２２は、この呼び出し信号を検出する。呼び出し信号は、一定の間隔で複数回送られてくる。その後、予め設定された回数（規定回数）の呼び出し信号を検出したとき、着呼状態に遷移し、電話回線５を通じて呼び出し側の装置と接続される。そして呼び出し側の装置が送信するファクシミリジョブを受信する。本発明の実施の形態では、ジョブ実行装置となる画像形成装置１０を省電力モードから通常電力モードに移行させるために使用される所定の信号は、上記の規定回数より少ない回数のみ送信される呼び出し信号（リング信号）とする。着呼状態に遷移したファクシミリ通信部２２はファクシミリジョブに係る信号等の受け付けを待つことになり、それらの信号が送信されなければエラーが発生する。所定の信号を、規定回数より少ない回数のみ送信される呼び出し信号とすることで、ファクシミリ通信部２２が着呼状態に遷移せず、このようなエラーは発生しなくなる。
【００５０】
本発明の実施の形態では、ファクシミリ通信部２２は、他の画像形成装置１０やスマートフォン６０と電話回線５を通じて信号の送受信を行う為のインターフェースとしても使用される。すなわち、後述するスマートフォン６０が有する電話回線Ｉ／Ｆ部７０（図４参照）と同様の機能を果たす。
【００５１】
電源制御部２３は、画像形成装置１０を構成する各部への電力供給を制御する。たとえば、通常電力モード時にはネットワークＩ／Ｆ部１９への電力供給を行う（電源をＯＮにする）が、省電力モード時にはネットワークＩ／Ｆ部１９への電力供給を行わないようにする（電源をＯＦＦにする）。具体的には、電力の供給先である各部に対して、電源ＯＮ信号、電源ＯＦＦ信号を送信することで、当該各部の電源ＯＮ、電源ＯＦＦを制御する。
【００５２】
画像形成装置１０は、操作や信号が一定時間入力されない場合、待機中の状態であるとＣＰＵ１１が判断し、通常電力モードから省電力モードに移行する。なお、この移行を行う直前に、他の２台の画像形成装置１０が通常電力モードの状態であるか省電力モードの状態であるかを調べ、両方とも省電力モードの状態である場合は、当該移行を中止する。他の２台の画像形成装置１０のうち、少なくとも一台が通常電力モードの状態あれば、当該移行を行う。これにより、プリントシステム７において、常に一台の画像形成装置１０は通常電力モードの状態となる。
【００５３】
図３は、ＰＣ端末４０の概略構成を示している。ＰＣ端末４０は、当該ＰＣ端末４０の動作を制御するＣＰＵ４１と、このＣＰＵ４１に接続されたＲＯＭ４２と、ＲＡＭ４３と、不揮発メモリ４４と、ハードディスク装置４５と、表示部４６と、操作部４７と、ネットワークＩ／Ｆ部４８と、通信状況判定部４９とを備えて構成されている。
【００５４】
ＣＰＵ４１はＯＳプログラムをベースとし、その上で、ミドルウェアやアプリケーションプログラムなどが実行される。ＲＯＭ４２には各種のプログラムが格納されており、これらのプログラムに従ってＣＰＵ４１が処理を実行することでジョブの送信などＰＣ端末４０の各機能が実現される。ＲＡＭ４３はＣＰＵ４１がプログラムを実行する際に各種のデータを一時的に格納するワークメモリなどとして使用される。
【００５５】
不揮発メモリ４４は、電源がオフにされても記憶が保持できる書き換え可能なメモリ（フラッシュメモリ）である。不揮発メモリ４４には、装置固有の情報や各種の設定情報などが記憶される。ハードディスク装置４５は、大容量の不揮発の記憶装置であり、ＯＳプログラムや各種アプリケーションプログラム、印刷ジョブや画像データ、ジョブに係る情報履歴、などが保存される。
【００５６】
表示部４６は、液晶ディスプレイ（ＬＣＤ…Liquid Crystal Display）などで構成され、各種の操作、設定に係る内容を表示する機能を果たす。操作部４７は、ユーザからのジョブの投入や設定の変更など、各種の操作を受け付ける機能を果たす。操作部４７は、キーボードと、マウス等のポインティングデバイスによって構成される。
【００５７】
ネットワークＩ/Ｆ部４８は、ＬＡＮ３を通じて外部の装置（３台の画像形成装置１０）と通信を行う。
【００５８】
通信状況判定部４９は、３台の画像形成装置１０が、通常電力モードの状態であるか省電力モードの状態であるかを判定する。具体的には、まず、ＬＡＮ３を通じて３台の画像形成装置１０に応答要求を送信し、この応答要求に対する返答を待つ。省電力モードの画像形成装置１０はＬＡＮ３を介して送信される応答要求を受信することができないので、当該応答要求に対する返答が一定時間内に返ってきた場合は通常電力モードの状態であると判定し、一定時間内に返ってこなければ省電力モードの状態（ＬＡＮ３に接続されていない状態）であると判定する。
【００５９】
図４は、スマートフォン６０の概略構成を示している。スマートフォン６０は、当該スマートフォン６０の動作を制御するＣＰＵ６１と、このＣＰＵ６１に接続されたＲＯＭ６２と、ＲＡＭ６３と、不揮発メモリ６４と、ハードディスク装置６５と、表示部６６と、操作部６７と、ネットワークＩ／Ｆ部６８と、通信状況判定部６９と、電話回線Ｉ／Ｆ部７０と、電話部７１を備えて構成されている。
【００６０】
ＣＰＵ６１はＯＳプログラムをベースとし、その上で、ミドルウェアやアプリケーションプログラムなどが実行される。ＲＯＭ６２には各種のプログラムが格納されており、これらのプログラムに従ってＣＰＵ６１が処理を実行することでジョブの送信などスマートフォン６０の各機能が実現される。ＲＡＭ６３はＣＰＵ６１がプログラムを実行する際に各種のデータを一時的に格納するワークメモリなどとして使用される。
【００６１】
不揮発メモリ６４は、電源がオフにされても記憶が保持できる書き換え可能なメモリ（フラッシュメモリ）である。不揮発メモリ６４には、装置固有の情報や各種の設定情報などが記憶される。ハードディスク装置６５は、大容量の不揮発の記憶装置であり、ＯＳプログラムや各種アプリケーションプログラム、印刷ジョブや画像データ、ジョブに係る情報履歴、などが保存される。
【００６２】
表示部６６は、液晶ディスプレイ（ＬＣＤ…Liquid Crystal Display）などで構成され、各種の操作、設定に係る内容を表示する機能を果たす。操作部６７は、ユーザからのジョブの投入や設定の変更など、各種の操作を受け付ける機能を果たす。操作部６７は、表示部６６の画面上に設けられて押下された座標位置を検出するタッチパネルのほか、画面外にテンキーや文字入力キー、スタートキーなどを備えて構成される。
【００６３】
ネットワークＩ/Ｆ部６８は、ＬＡＮ３を通じて外部の装置（３台の画像形成装置１０）と通信を行う。
【００６４】
通信状況判定部６９は、３台の画像形成装置１０が、通常電力モードの状態であるか省電力モードの状態であるかを判定する。具体的には、まず、ＬＡＮ３を通じて３台の画像形成装置１０に応答要求を送信し、この応答要求に対する返答を待つ。省電力モードの画像形成装置１０はＬＡＮ３を介して送信される応答要求を受信することができないので、当該応答要求に対する返答が一定時間内に返ってきた場合は通常電力モードの状態であると判定し、一定時間内に返ってこなければ省電力モードの状態（ＬＡＮ３に接続されていない状態）であると判定する。
【００６５】
電話回線Ｉ／Ｆ部７０は、電話回線５を通じて外部の装置（３台の画像形成装置１０や、他の電話機）と通信を行う。電話部７１は、電話回線５から受け付けた音声信号を音に変換して出力する受話部と、スマートフォン６０の使用者が発声した音を音声信号に変換して接続先に送信する送話部で構成される。
【００６６】
次に、図５、図６にて、プリントシステム７において、省電力モード（ＥｒＰ節電状態）である画像形成装置１０を指定して印刷ジョブを送信する場合に行われる処理の流れを説明する。図５は処理の流れを、図６は具体例を示す。なお、図５、図６では、ＰＣ端末４０から印刷ジョブを送信するものとして説明する。また図５では、画像形成装置１０をＭＦＰと省略して記す。
【００６７】
まず、ＰＣ端末４０がユーザの指示を受け付けたら、通信状況判定部４９が、ＬＡＮ３経由で応答要求を送信し、通常電力モードの画像形成装置１０と、省電力モード（ＥｒＰ節電状態）の画像形成装置１０を特定する（ステップＳ１０１）。図６の例では、画像形成装置１０Ａは省電力モード、画像形成装置１０Ｂは省電力モード、画像形成装置１０Ｃは通常電力モードである。なお、応答要求の送信は、印刷指示に係る操作を受け付けてから行ってもよいし、定期的に行っていてもよい。
【００６８】
次に、ＰＣ端末４０はユーザから印刷指示に関する操作を受け付ける。具体的には、印刷を行なう文書データの指定や、印刷ジョブを実行させる画像形成装置１０（ジョブ実行装置）の指定、印刷ジョブの印刷設定の指定、印刷ジョブの送信指示（実行指示）に関する操作を受け付ける（ステップＳ１０２）。図６の例では、ユーザは省電力モードの画像形成装置１０Ａをジョブ実行装置として指定し、印刷ジョブの送信指示を行ったものとする。ＰＣ端末４０は、前述のユーザによる操作を受けつけたことに応じて、画像形成装置１０Ａをジョブ実行装置と設定する。
【００６９】
その後、ＰＣ端末４０は、プリントシステム７内の通常電力モードにある画像形成装置１０のうちのいずれか１台の画像形成装置１０を起動装置として設定する。図６の例では、通常電力モードにあるのは画像形成装置１０Ｃだけなので、ＰＣ端末４０は、画像形成装置１０Ｃを起動装置として設定する。ＰＣ端末４０は、起動装置に、ジョブ実行装置に実行させる印刷ジョブデータと、ジョブ実行装置を識別する情報（例えば、画像形成装置１０の装置名またはシリアル番号等）とをＬＡＮ３を介して送信する（ステップＳ１０３）。図６の例では、ＰＣ端末４０が、画像形成装置１０Ａの識別情報と、画像形成装置１０Ａに実行させる印刷ジョブを、ＬＡＮ３を介して画像形成装置１０Ｃに送信する（Ｓ１）。
【００７０】
印刷ジョブと、ジョブ実行装置の識別情報を受信した起動装置は、受信した情報に基づいて、いずれの画像形成装置１０がジョブ実行装置であるかを判別し、ジョブ実行装置に電話回線５を介して所定の信号を送信する。そして、所定の信号を受けたジョブ実行装置は省電力モードから通常電力モードに移行する（ステップＳ１０４）。図６の例では、起動装置である画像形成装置１０Ｃがジョブ実行装置である画像形成装置１０Ａに対して、電話回線５を介して所定の信号を送信し（Ｓ２）、所定の信号を受信した画像形成装置１０Ａが、省電力モードから通常電力モードに移行する。
【００７１】
起動装置は、ジョブ実行装置が省電力モードから通常電力モードへ移行したこと（省電力モードが解除されたこと）を確認したら、ジョブ実行装置にＬＡＮ３を介して印刷ジョブを転送し（ステップＳ１０５）、処理を終了する。そして、ジョブ実行装置は、受信した印刷ジョブを実行する。図６の例では、起動装置である画像形成装置１０Ｃが、ジョブ実行装置である画像形成装置１０Ａに対して、ＬＡＮ３を介して印刷ジョブを転送している（Ｓ３）。そして、印刷ジョブを受信したジョブ実行装置である画像形成装置１０Ａは、印刷ジョブを実行する。
【００７２】
通常電力モードへの移行が完了したことの確認は、起動装置がジョブ実行装置にＬＡＮ３を介して応答要求を送信し、一定時間以内にその応答要求に対する返信を受信することで行う。一定時間以内に返信を受信しなかった場合は移行が完了していないと判断し、再び電話回線５を介して所定の信号を送信すればよい。一定時間とは、画像形成装置１０が所定の信号を受信してから、通常電力モードへの移行が完了するまでにかかる時間に余裕を持たせた時間とする。
【００７３】
なお、図５、図６では、ＰＣ端末４０は、起動装置を経由して、ジョブ実行装置に印刷ジョブを送信していたが、図５のステップＳ１０３（図６のＳ１）にて、ＰＣ端末４０は、起動装置に対して、印刷ジョブは送信せずにジョブ実行装置を識別する情報を送信しておき、起動装置によりジョブ実行装置が省電力モードから通常電力モードに移行したことをＰＣ端末４０が確認したら、ＰＣ端末４０からジョブ実行装置にＬＡＮ３を介して直接印刷ジョブを送信してもよい。
【００７４】
また、ＰＣ端末４０の代わりに、スマートフォン６０を使用してもよい。
【００７５】
図７は、省電力モードの画像形成装置１０が所定の信号を受け付けて通常電力モードに移行する様子を示す。省電力モードの状態では、ＣＰＵ１１と、ネットワークＩ／Ｆ部１９と、ファクシミリ通信部２２はいずれも電源ＯＦＦになっている。
【００７６】
まず、電話回線５を介して呼び出し信号（（リング信号）、所定の信号）が入力されたら（Ｓ１１）、該リング信号は、ファクシミリ通信部２２と電源制御部２３に送られる（Ｓ１２）。
【００７７】
リング信号が入力されたら電源制御部２３は、ＣＰＵ１１と、ネットワークＩ／Ｆ部１９と、ファクシミリ通信部２２に電源ＯＮ信号を送信する（Ｓ１３）。
【００７８】
この電源ＯＮ信号を受けたＣＰＵ１１と、ネットワークＩ／Ｆ部１９と、ファクシミリ通信部２２は電源ＯＮ状態になる（通常電力モードに移行する）。
【００７９】
その後、ＬＡＮ３を介してネットワークＩ／Ｆ部１９が印刷ジョブを受信したら（Ｓ１４）、この印刷ジョブはＣＰＵ１１に送信されて（Ｓ１５）実行される。
【００８０】
なお、ファクシミリ通信部２２は、規定回数以上の呼び出し信号を検出した時、着呼状態に遷移する。着呼状態に遷移したファクシミリ通信部２２はファクシミリジョブに係る信号等の受け付けを待つことになり、それらの信号が送信されなければエラーが発生する。所定の信号は、規定回数より少ない回数のみ送信される呼び出し信号（規定回数未満で終了する呼び出し信号）なので、ファクシミリ通信部２２が着呼状態に遷移することはなく、よって、当該エラーが発生することはない。
【００８１】
このように、本発明の実施の形態に係るプリントシステム７では、ＰＣ端末４０（もしくはスマートフォン６０）が省電力モードの画像形成装置１０をジョブ実行装置に指定して印刷ジョブを実行させる場合、起動装置（通常電力モードの画像形成装置１０）にジョブ実行装置の省電力モードを解除させ、省電力モードの解除が完了した後、当該ジョブ実行装置にＬＡＮ３を介して印刷ジョブが送信される。これにより、ネットワークＩ／Ｆ部１９が電源ＯＦＦの状態の画像形成装置１０に対して、ＬＡＮ３を使用して印刷ジョブを送信することができる。
【００８２】
なお、起動装置が印刷ジョブをジョブ実行装置に転送する場合、その起動装置は本発明のプリントシステムにおけるジョブ送信装置としての役割も果たす。ＰＣ端末４０（もしくはスマートフォン６０）からジョブ実行装置に直接印刷ジョブが送信される場合は、当該ＰＣ端末４０（もしくはスマートフォン６０）が、本発明のプリントシステムにおけるジョブ送信装置としての役割を果たす。
【００８３】
以上、ここまでを実施例１とする。以後実施例２について説明する。
【００８４】
＜実施例２＞
（スマートフォン６０が印刷ジョブを送信する役割と、起動装置としての役割の双方を果たす場合）
スマートフォン６０は電話回線５を介して通信が可能である。よって、スマートフォン６０は、印刷ジョブを実行させる画像形成装置１０（ジョブ実行装置）が省電力モードの状態である場合、他の画像形成装置１０に所定の信号を送信させなくとも、自装置の電話回線Ｉ／Ｆ部７０から電話回線５を介してジョブ実行装置に所定の信号を直接送信することができる。態様例２では、スマートフォン６０が、ジョブ実行装置の省電力モードを解除させ、印刷ジョブを送信する場合について説明する。
【００８５】
図８、図９は、実施例２において、スマートフォン６０が、ジョブ実行装置の省電力モードを解除し（省電力モードから通常電力モードに移行させ）、印刷ジョブを送信する場合に行われる処理の流れを説明する。図８は処理の流れを、図９は具体例を示す。なお、図８では、画像形成装置１０をＭＦＰと省略して記す。
【００８６】
まず、スマートフォン６０がユーザの指示を受け付けたら、通信状況判定部６９が、ＬＡＮ３経由で応答要求を送信し、通常電力モードの画像形成装置１０と、省電力モード（ＥｒＰ節電状態）の画像形成装置１０を特定する（ステップＳ２０１）。図９の例では、画像形成装置１０Ａは省電力モード、画像形成装置１０Ｂは省電力モード、画像形成装置１０Ｃは通常電力モードである。なお、応答要求の送信は、印刷指示に係る操作を受け付けてから行ってもよいし、定期的に行っていてもよい。
【００８７】
次に、スマートフォン６０はユーザから印刷指示に関する操作を受け付ける。具体的には、印刷を行なう文書データの指定や、印刷ジョブを実行させる画像形成装置１０（ジョブ実行装置）の指定、印刷ジョブの印刷設定の指定、印刷ジョブの送信指示（実行指示）に関する操作を受け付ける（ステップＳ２０２）。図９の例では、ユーザは省電力モードの画像形成装置１０Ａをジョブ実行装置として指定し、印刷ジョブの送信指示を行ったものとする。スマートフォン６０は、前述のユーザによる操作を受けつけたことに応じて、画像形成装置１０Ａをジョブ実行装置と設定する。
【００８８】
スマートフォン６０は、ジョブ実行装置として指定された画像形成装置１０に電話回線５を介して所定の信号を送信する。そして、これを受けたジョブ実行装置は省電力モードから通常電力モードに移行する（ステップＳ２０３）。図９の例では、スマートフォン６０が、画像形成装置１０Ａに対して、電話回線５を介して所定の信号を送信し（Ｓ２１）、所定の信号を受信した画像形成装置１０Ａが、省電力モードから通常電力モードに移行する。
【００８９】
スマートフォン６０は、ジョブ実行装置が省電力モードから通常電力モードへ移行したことを確認したら、その通常電力モードに移行した画像形成装置１０にＬＡＮ３を介して印刷ジョブを送信し（ステップＳ２０４）、処理を終了する。そして、ジョブ実行装置は、受信した印刷ジョブを実行する。図９の例では、スマートフォン６０が画像形成装置１０Ａに対して、ＬＡＮ３を介して印刷ジョブを転送している（Ｓ２３）。そして、印刷ジョブを受信したジョブ実行装置である画像形成装置１０Ａは、印刷ジョブを実行する。
【００９０】
通常電力モードへの移行が完了したことの確認は、スマートフォン６０の通信状況判定部６９が行う。所定の信号を送信してから一定時間が経っても、通常電力モードへの移行が確認されなければ、再び電話回線５を介して所定の信号を送信すればよい。一定時間とは、スマートフォン６０が所定の信号を受信してから、通常電力モードへの移行が完了するまでにかかる時間に余裕を持たせた時間とする。
【００９１】
このように、実施例２では、スマートフォン６０が省電力モードの画像形成装置１０をジョブ実行装置に指定して印刷ジョブを実行させる場合、スマートフォン６０がジョブ実行装置の省電力モードを解除させ、省電力モードの解除が完了した後、当該ジョブ実行装置にＬＡＮ３を介して印刷ジョブを送信する。これにより、ネットワークＩ／Ｆ部１９が電源ＯＦＦの状態の画像形成装置１０に対して、ＬＡＮ３を使用して印刷ジョブを送信することができる。
【００９２】
なお、実施例２では、本発明のプリントシステムにおける起動装置としての役割と、ジョブ送信装置としての役割の双方をスマートフォン６０が果たす。
【００９３】
以上、本発明の実施の形態を図面によって説明してきたが、具体的な構成は実施の形態に示したものに限られるものではなく、本発明の要旨を逸脱しない範囲における変更や追加があっても本発明に含まれる。
【００９４】
本発明の実施の形態では、プリントシステム７にＰＣ端末４０とスマートフォン６０の両方が含まれていたが、いずれか一方が含まれていればよい。また、画像形成装置１０の台数は３台に限らず任意の台数で構わないが、プリントシステム７にスマートフォン６０が含まれている場合は少なくとも１台、プリントシステム７にスマートフォン６０が含まれていない場合は少なくとも２台が含まれているものとする。
【００９５】
本発明の実施の形態では、ジョブ実行装置を省電力モードから通常電力モードに移行させる際に送信される所定の信号は、規定回数よりも少ない回数の呼び出し信号（リング信号）であったが（図２参照）、所定の信号はこれに限らない。規定回数以上の呼び出し信号を所定の信号として送信してもよいし（ただしこの場合、着呼状態に遷移する）、ファクシミリジョブを所定の信号として送信してもよい。
【００９６】
なお、所定の信号として送信されるファクシミリジョブは、省電力モードから通常電力モードへの移行（省電力モードの解除）を目的とするので、実際に当該ファクシミリジョブが実行される必要はない。所定の信号としてファクシミリジョブを送信した場合、ファクシミリ通信部２２は省電力モードから通常電力モードへの移行が完了した後、そのファクシミリジョブを実行する為の処理を継続してしまうので、実際にファクシミリジョブを実行するために必要なデータが揃っていなければエラーが発生してしまう。そこで、所定の信号をダミーのファクシミリジョブ（ダミーである旨の識別情報が付与されたファクシミリジョブ）とし、ファクシミリ通信部２２を、受信したファクシミリジョブがダミーのファクシミリジョブである場合は、省電力モードを解除するとともに、そのファクシミリジョブを実行せずに、削除するよう構成することで、前述のエラーは発生しなくなる。
【００９７】
本発明の実施の形態では、起動装置として画像形成装置１０を使用していたが、画像形成装置１０とは別に、画像形成装置１０から、ＣＰＵ１１と、ＲＯＭ１２と、ＲＡＭ１３と、不揮発メモリ１４と、ネットワークＩ／Ｆ部１９と、ファクシミリ通信部２２（電話回線Ｉ／Ｆの機能を果たす部分のみでもよい）を抜き出した単体の起動装置を使用してもよい。この場合、待機中である３台の画像形成装置１０を全て省電力モードの状態にしてもよい。起動装置以外の装置を全て省電力モードにできるので、より待機中に消費する電力量を抑えることができる。また、本発明は、情報処理装置を実施の形態で示した起動装置のように動作させるプログラムであってもよい。
【００９８】
本発明の実施の形態では、実施例２において、ＬＡＮ３と電話回線５に接続可能な機能が組み込まれたジョブ送信装置としてスマートフォン６０を使用したが、ＰＣ端末４０に電話回線５に接続可能な機構を組み込んで代わりに使用してもよい。すなわち、ジョブ実行装置が省電力モードの状態である場合、ＰＣ端末４０が、電話回線５を介してジョブ実行装置に直接所定の信号を送信し、省電力モードが解除されたジョブ実行装置にＬＡＮ３を介して印刷ジョブを送信してもよい。ＰＣ端末４０に電話回線５に接続可能な機構を組み込む場合、待機中である３台の画像形成装置１０を全て省電力モードの状態にしてもよい。起動装置以外の装置を全て省電力モードにできるので、より待機中に消費する電力量を抑えることができる。
【００９９】
また、本発明の実施の形態では、ＬＡＮ３と電話回線５の双方に接続可能な機能が組み込まれたジョブ送信装置としてスマートフォン６０を使用したが、スマートフォン６０以外の端末でもよい。ＬＡＮ３と電話回線５の双方に接続可能であれば、タブレット等、持ち運びが可能な携帯端末でもよいし、持ち運びが不可能な端末でもよい。
【０１００】
省電力モードが必ずしもＥｒＰ節電である必要はない。省電力モード時にネットワークＩ／Ｆ部１９が電源ＯＦＦ状態であればよい。ＥｒＰ節電に限らず、ネットワークＩ／Ｆ部１９が電源ＯＦＦの状態の画像形成装置１０に対して、ＬＡＮ３を使用して印刷ジョブを送信することができる。
【符号の説明】
【０１０１】
３…ＬＡＮ
５…電話回線
７…プリントシステム
１０（１０Ａ、１０Ｂ、１０Ｃ）…画像形成装置
１１…ＣＰＵ
１２…ＲＯＭ
１３…ＲＡＭ
１４…不揮発メモリ
１５…ハードディスク装置
１６…表示部
１７…操作部
１８…スキャナ部
１９…ネットワークＩ／Ｆ部
２０…画像処理部
２１…プリンタ部
２２…ファクシミリ通信部
２３…電源制御部
４０…ＰＣ端末
４１…ＣＰＵ
４２…ＲＯＭ
４３…ＲＡＭ
４４…不揮発メモリ
４５…ハードディスク装置
４６…表示部
４７…操作部
４８…ネットワークＩ／Ｆ部
４９…通信状況判定部
６０…スマートフォン
６１…ＣＰＵ
６２…ＲＯＭ
６３…ＲＡＭ
６４…不揮発メモリ
６５…ハードディスク装置
６６…表示部
６７…操作部
６８…ネットワークＩ／Ｆ部
６９…通信状況判定部
７０…電話回線Ｉ／Ｆ部
７１…電話部
８０…無線ルータ
【図１】
2014164625.tif 000003
【図２】
2014164625.tif 000004
【図３】
2014164625.tif 000005
【図４】
2014164625.tif 000006
【図５】
2014164625.tif 000007
【図６】
2014164625.tif 000008
【図７】
2014164625.tif 000009
【図８】
2014164625.tif 000010
【図９】
2014164625.tif 000011